(57)【要約】【課題】三方活栓を使用する際に発生するおそれのある医療事故や不意操作による事故を防ぐために、新規の側枝管を開発する。【解決手段】第１直管と第２直管が一直線上に並び、１個以上の側枝が第１直管及び第２直管に対し合流部で直交し、互いに連通する医療用及び動物治療用側枝管であって、少なくとも１個の側枝の内部に逆止弁を備え、側枝の自由端から合流部へ向かう液体、気体は通過するが、合流部から自由端へ向かう液体、気体は阻止され、流れないようにすることを特徴とする医療用及び動物治療用側枝管である。【選択図】　　図１
2004129981.tif 000002
【特許請求の範囲】
【請求項１】
第１直管と第２直管が一直線上に並び、１個以上の側枝が第１直管及び第２直管に対し合流部で直交し、互いに連通する医療用及び動物治療用側枝管であって、少なくとも１個の側枝の内部に逆止弁を備え、側枝の自由端から合流部へ向かう液体、気体は通過するが、合流部から自由端へ向かう液体、気体は阻止され、流れないようにすることを特徴とする医療用及び動物治療用側枝管。
【請求項２】
第１直管と第２直管が一直線上に並び、１個以上の側枝が第１直管及び第２直管に対し合流部で直交し、互いに連通する医療用及び動物治療用側枝管であって、少なくとも１個の側枝の内部に逆止弁を備え、逆止弁近くの側枝の側面の一部を弾性材料からなる押圧部とし、押圧部を指等で押圧していない時には、側枝の自由端から合流部へ向かう液体、気体は通過するが、合流部から自由端へ向かう液体、気体は阻止され、流れず、一方、押圧部を指等で押圧している時には、合流部から自由端へ液体、気体が通過し流れることを特徴とする医療用及び動物治療用側枝管。
【請求項３】
逆止弁は、テーパー管部と当該テーパー管部の小径口に連続して外方向へ延びる小径管部とからなる弁ホルダーであって、当該テーパー管部の大径口が側枝の内面と液密に嵌合される弁ホルダーと、
弁ホルダーの小径管部外周面に被着され、かつ、テーパー管部の大径口側から受ける液流圧によって、あるいは、側方からの押圧によって、開口するが、小径管部側から受ける液流圧によって並行するスリットを有する可撓性弁と、
からなることを特徴とする請求項１または２に記載の医療用及び動物治療用側枝管。
【請求項４】
少なくとも１個の側枝の自由端を閉止可能で、着脱自在の側枝キャップを備えていることを特徴とする請求項１から３までのいずれ１つに記載の医療用及び動物治療用側枝管。
【請求項５】
第１直管の自由端を閉止可能で、着脱自在の直管キャップを備えていることを特徴とする請求項１から４までのいずれか１つに記載の医療用及び動物治療用側枝管。
【請求項６】
他の１個の請求項５に記載の医療用及び動物治療用側枝管の第１直管と液密に接合可能で、着脱自在の直管袋ナットを第２直管が備えている請求項１から５までのいずれか１つに記載の医療用及び動物治療用側枝管。
【請求項７】
他の１個の請求項１から６までのいずれか１つに記載の医療用及び動物治療用側枝管の側枝と液密可能で、着脱自在の袋ナットを第２直管が備えている請求項１から６までのいずれか１つに記載の医療用及び動物治療用側枝管。
【発明の詳細な説明】
【０００１】
【発明の属する技術分野】
本発明は医療用及び動物治療用側枝管に関する。
【０００２】
【従来の技術】
病院、クリニック、動物病院等において輸血や輸液を行う場合に三方活栓が使用されている。三方活栓は、第１分岐管と第２分岐管と第３分岐管を有する本体部と、当該本体部に対し回転可能かつ液密に装着可能であり、前記各分岐管のうちの所定の前記分岐管同士を連通させる流体通路を有する通路切換部を備え、通路切換部を本体部に対して回転操作させることにより、流体通路の切り換えを行っている。
【特許文献１】
特開２００２−１５３５６２号公報
【特許文献２】
実用新案登録第２５９９４９３号公報
【特許文献３】
特許第２７６４４３２号公報
【特許文献４】
特開平１０−２３４８６３号公報
【特許文献５】
特開平９−２８０３９４号公報
【特許文献６】
特開平８−１５５０３９号公報
【特許文献７】
実開平６−０４４５５４号公報
【０００３】
例えば、患者の静脈に留置針を刺し込み、留置針の後端と第１分岐管とをチューブでつなぐ。第２分岐管は輸血バッグと他のチューブでつながれ、第３分岐管はさらに他のチューブで血液凝固防止薬剤シリンジとつながれている。そして、通路切換部を回転させ、第１、第２、第３の分岐管を互いに連通させた状態で、輸血及び血液凝固防止薬剤を同時に患者に注入する。所定時間後に、通路切換部をさらに回転し、第１と第２の分岐管を互いに連通させた状態で、輸血のみを患者に注入する。このように通路切換部を適宜回転させて、輸血を行う。
【０００４】
点滴液、ブドウ糖液、抗生物質液等を所定時間ごとに切り換え、混合して、患者の静脈に点滴、輸液を行う。また、必要であれば、通路切換部を適宜回転し、途中で、採血を行う。
【０００５】
【発明が解決しようとする課題】
しかしながら、三方活栓を用いると、医師、看護士などの医療従事者や患者本人が通路切換部を回転し分岐管の流路を切り換える際に、通路切換部の回転位置を誤るおそれがあり、医療事故の発生につながるおそれがある。
【０００６】
また、患者本人（特に、幼児や痴呆老人）が通路切換部を回転し、その結果、患者の病状が急変し、生命の危機におちいるおそれがある。
【０００７】
そこで、本発明の目的は、三方活栓を使用する際に発生するおそれのある医療事故や不意操作による事故を防ぐことであり、そのために、新規の側枝管を開発することである。
【０００８】
【課題を解決するための手段】
上記目的は、請求項１に記載の本発明に係る医療用または動物治療用側枝管、すなわち、第１直管と第２直管が一直線上に並び、１個以上の側枝が第１直管及び第２直管に対し合流部で直交し、互いに連通する医療用及び動物治療用側枝管であって、少なくとも１個の側枝の内部に逆止弁を備え、側枝の自由端から合流部へ向かう液体、気体は通過するが、合流部から自由端へ向かう液体、気体は阻止され、流れないようにすることを特徴とする医療用及び動物治療用側枝管によって、達成される。
【０００９】
また、上記目的は、請求項２に記載の本発明に係る医療用または動物治療用側枝管、すなわち、第１直管と第２直管が一直線上に並び、１個以上の側枝が第１直管及び第２直管に対し合流部で直交し、互いに連通する医療用及び動物治療用側枝管であって、少なくとも１個の側枝の内部に逆止弁を備え、逆止弁近くの側枝管の側面の一部を弾性材料からなる押圧部とし、押圧部を指等で押圧していない時には、側枝の自由端から合流部へ向かう液体、気体は通過するが、合流部から自由端へ向かう液体、気体は阻止され、流れず、一方、押圧部を指等で押圧している時には、合流部から自由端へ液体、気体が通過し流れることを特徴とする医療用及び動物治療用側枝管によっても、達成される。
【００１０】
【発明の実施の形態】
以下、本発明の種々の実施形態について、添付図面を参照して説明する。
【００１１】
第１実施形態
図１は、第１実施形態の側枝管の平面図である。
【００１２】
側枝管は、第１直管１と第２直管２と側枝３と合流部４とからなる。第１直管１と第２直管２とは一直線上に並んでいる。第１直管１と側枝３は合流部４で直交している。第２直管２と側枝３も合流部４で直交している。そして、内管１１と内管４１とは連続し、内管２１と内管４２とは連続し、内管３１と内管４３とは連続し、そして、内管４１，４２，４３は互いに連通している。
【００１３】
第１直管１の自由端１０１近くには直管キャップ６がら合し、液密となっている。直管キャップ６は内底面６０１、外底面６０３、内周面６０２、外周面６０４円環状端６０５、と嵌合突起６１とからなる。内周面６０２にはネジ溝が形成されている。一方、第１直管１の外周面１０３にも対応するネジ溝が形成されている。直管キャップ６を第１直管１の自由端１０１にら合し始めると、嵌合突起６１が第１直管１の内部に挿入され、第１直管１の内周面１０２は嵌合突起６１の外周面と密接し始め、さらにネジ込むと液密となり、第１直管１の自由端１０１と直管キャップ６のない底面とが密接する。
【００１４】
側枝３の自由端３０１近くには側枝管キャップ７がら合し、液密となっている。側枝キャップ７は内底面７０１、外底面７０３、内周面７０２、外周面７０４、円環状端７０５及び嵌合突起７１とからなる。内周面７０２にはネジ溝が形成されている。一方、側枝３の外周面３０３にも対応するネジ溝が形成されている。側枝キャップ７を側枝３の自由端３０１にら合し始めると、嵌合突起７１が側枝３の内部に挿入され、側枝３の内周面３０３は嵌合突起７１の外周面と密接し始め、さらにネジ込むと液密となり、側枝３の自由端３０１と側枝キャップ７の内底面７０１とが密接する。
【００１５】
第２直管の外径はほぼ一定であり、不図示のチューブの端近くを嵌め合せたり、接着剤を用いて接続することができる。
【００１６】
第１直管、第２直管、側枝、及び合流部は透明の樹脂で作成されているのが好ましい。透明であると、内管を流れる血液、薬剤液を目視で確認することができる。
【００１７】
第１実施形態によれば、側枝キャップ７をはずした後に、薬液バッグに接続されたチューブを側枝の自由単に接続するだけで、第１直管１へ向かって薬液が供給され、接続を断つと、側枝からの液体供給が停止する。
【００１８】
第２実施形態
図２は第２実施形態の側枝管の平面図である。図３は第２実施形態の側枝管の正面図である。
【００１９】
第２実施形態の側枝管は、第１実施形態の側枝管と異なり、側枝３のうちの逆止弁５近くの側面の上部が薄肉部３２となっており、ボタン部３３を有しており、下部が平面部３４となっている。平面部３４を患者の皮膚等に密接した状態で、ボタン部３３の上面を指で押すと、薄肉部３２が弾性的にへこみ、下方へ移動する。そのため、薄肉部３２の下面が逆止弁５に接し、逆止弁に側方から力が加わる。よって、弁本体５２が変形し、スリットが開き、逆流する。
【００２０】
弁本体は、シリコン系ゴム、ウレタン系ゴム、プラスチック系軟質材でできているのが好ましく、力が加わり弾性変形した後に、指を離して力を除くと、再びもとの形状に戻る。加圧し、その後に力を除くことを繰り返しても、もとの形状に戻る繰返し再現性の優れた弾性材料が好ましい。本実施形態においては、弁本体３２がからす口状」であり、先端の２つの平板の長辺は、側枝管の下部に対し垂直方向に配置されている。通常において、２つの平板は、その長辺が互いに密接している。しかし、ボタン部３３を指で押圧すると、薄肉部３２が撓み、弁本体５２も下方へ押圧され、平板は弓状に撓んで、２つの平板の間に隙間が生じる。その結果として、逆止弁５を通過して、液体が流通する。一方、ボタン部３３の押圧をやめると、弁本体５２はもとの形状に戻り、２つの平板は密接し、その間を流体は流通できなくなる。このため、医療従事者が片手で側枝管を指で押しても転がって移動しなくなり、安定し無理なく操作することができる。
【００２１】
不図示の別の実施形態においては、弁本体がサック状であり、その先端に十字状のスリットが形成されている。弁本体の内面に作用する圧力が外面に作用する圧力よりも大きくない時には、逆止弁は通常、閉じた状態である。しかし、弁本体に側方から力が加わると、弁本体が弾性変形して、スリットに隙間が生じ、弁本体は開いた状態になる。一方、側方への力の作用を中止すると、弁本体はもとの形状に戻り、閉じた状態となる。
【００２２】
第３実施形態
図４は第３実施形態の側枝管の平面図である。
【００２３】
第３実施形態は第１実施形態とほぼ同じであるが、第２直管２に袋ナット８が回転自在で軸方向へ多少移動可能に取り付けられている点で異なる。袋ナット８は第２直管２の外径とほぼ同一寸法の内径を有する円環状底部８１と、その外周から垂直に伸びる側周部８２と、からなる。側周部８２の内周面にはネジ溝が形成されている。さらに、第２直管２の中央に大径突部２２がある点で異なる。袋ナット８の円環状底部８１の内径に対し、大径突部２２の外径が大きいので、袋ナット８は、大径突部２２を越えて移動することはできないが、合流部４と大径突部２２との間については円環状底部８１の内周面８１１は第２直管２の外周面に接触しつつ回転及び直線運動をすることができる。
【００２４】
第４実施形態
図５は第４実施形態の側枝管の平面図であり、図６は第４実施形態の側枝管の正面図である。
【００２５】
第４実施形態は、第２実施形態と同様に、側枝３のうちの逆止弁５近くの側面の上部が薄肉部３２となっており、ボタン部３３を有しており、下部が平面部３４となっている。また、第４実施形態は、第３実施形態と同様に、第２直管２の中央に大径突起部２２を有し、第２直管２に袋ナット８が取り付けられている。
【００２６】
第３実施形態の側枝管と第３実施形態の側枝管とは、例えば、前者の第２直管と後者の第１直管とを、直線上に並べて、前者の袋ナットと後者の外周面のネジ溝とをら合させて接合させることができる。同様に第４実施形態の側枝管と第４実施形態の側枝管とを接合させることができ、第３実施形態の側枝管と第４実施形態の側枝管とを同様に接合させることができる。
【００２７】
第５実施形態
図７は第５実施形態の側枝管の平面図であり、図８は第５実施形態の側枝管の正面図である。
【００２８】
第１直管１と第２直管２とは、直線上に並んでおり、合流部４はその直線方向に伸び、その直線に直交する３つの側枝３を有している。３つの側枝は、互いに平行であって同一平面上でその直線に対し同一方向に位置している。
【００２９】
各側枝３は、第２実施形態の側枝管や第４実施形態の側枝管における側枝と同様に逆止弁近くの側面の一部に薄肉部とボタンを有しているが、他の実施形態としては、第１実施形態の側枝管や第３実施形態の側枝管における側板と同様に逆止弁を内蔵するだけの構造であってもよい。
【００３０】
各側枝３を容易に区別するために、側枝の一部、又は、側枝キャップ、または、両者を着色し、色分けしてもよい。
【００３１】
第４実施形態の側枝管では、同時に多種の薬液バッグからの薬液を混合流動させることができ、しかも切り換えが簡単であり、一目瞭然で切り換えミスが生じにくい。
【００３２】
第５実施形態を変更した実施形態
図９は第５実施形態を変更した実施形態の概略図である。（ａ）は３つの側枝３は同一平面上にあるが、第１直管１と第２直管２とを結ぶ直線に対して、側枝３ａと３ｃは同一方向に伸びているが、側枝３ｂは逆方向に伸びている。接続するチューブの混雑やからまり合いを防止することができる。（ｂ）は３つの側枝３のうち３ａと３ｃは同一平面上にあるが、当該直線に対して逆方向に伸びている。側枝３ｂは、当該直線及び側枝３ａに直交しており、当該平面に対し垂直となっている。側枝３ａ，３ｂ，３ｃの取りちがえが生じにくい。
【００３３】
第６実施形態
図１０は第６実施形態の側枝管の平面図であり、図１１は第６実施形態の側枝管の正面図である。
【００３４】
直管キャップ６と側枝キャップ７は、それぞれ、プラスチック製、繊維ひも製、金属製など可撓性のワイヤー９によって、合流部４に接続されている。ワイヤー９によって、合流部４に接続されているので、直管キャップ６や側枝キャップ７が紛失したり、見つけ出すのに時間や手間がかかるという不具合が解消される。直管キャップ６や側枝キャップ７は別々の色を着色しても良いし、対応する直管の一部分や側枝の一部分に螺合する直管キャップや側枝キャップと同じ色を着色しても良い。
【００３５】
【発明の効果】
本発明に係る医療用及び動物治療用側枝管によれば、側枝にチューブを接続するだけで、チューブから合流部へ向かって液体が流れ逆流せず、チューブを外すと液体が流れなくなり、現在の接続状況や液体流入状況が一目瞭然であり、誤操作が起こりにくく医療事故の発生が少なくなるという効果が得られる。
【００３６】
本発明に係る医療用及び動物治療用側枝管によれば、複数の側枝が合流部から突出しており、各側枝にチューブを接続するだけで、チューブから合流部へ向かって液体が流れ逆流せず、各チューブを外すと液体が流れなくなり、複数の薬液を同時にあるいは切替えて患者に投与する場合であっても現在の接続状況や液体流入状況が一目瞭然であり、誤操作が起こりにくく医療事故の発生が少なくなるという効果が得られる。
【図面の簡単な説明】
【図１】第１実施形態の側枝管の平面図である。
【図２】第２実施形態の側枝管の平面図である。
【図３】第２実施形態の側枝管の正面図である。
【図４】第３実施形態の側枝管の平面図である。
【図５】第４実施形態の側枝管の平面図である。
【図６】第４実施形態の側枝管の正面図である。
【図７】第５実施形態の側枝管の平面図である。
【図８】第５実施形態の側枝管の正面図である。
【図９】第５実施形態を変更した実施形態の概略図である。
【図１０】第６実施形態の側枝管の平面図である。
【図１１】第６実施形態の側枝管の正面図である。
【符号の説明】
１　第１直管
１１　内管
１０１　第１直管１の自由端
１０２　第１直管１の内周面
１０３　第１直管１の外周面
２　第２直管
２１　内管
２２　大径突部
３　側枝
３１　内管
３２　薄肉部
３３　ボタン部
３４　平面部
３０１　側枝３の自由端
３０３　側枝３の外周面
４　合流部
４１　内管
４２　内管
４３　内管
５　逆止弁
５２　弁本体
６　直管キャップ
６１　嵌合突起
６０１　内底面
６０２　内周面
６０３　外底面
６０４　外周面
６０５　円環状端
７　側枝管キャップ
７１　嵌合突起
７０１　内底面
７０２　内周面
７０３　外底面
７０４　外周面
７０５　円環状端
８　袋ナット
８１　円環状底部
８２　側周部
８１１　内周面
９　ワイヤー
【図１】
2004129981.tif 000003
【図２】
2004129981.tif 000004
【図３】
2004129981.tif 000005
【図４】
2004129981.tif 000006
【図５】
2004129981.tif 000007
【図６】
2004129981.tif 000008
【図７】
2004129981.tif 000009
【図８】
2004129981.tif 000010
【図９】
2004129981.tif 000011
【図１０】
2004129981.tif 000012
【図１１】
2004129981.tif 000013